【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
少なくとも一つの入口端（１０１）と、少なくとも一つの出口端（１０３）と、前記入口端（１０１）と前記出口端（１０３）を接続する溝壁（１０２）とをそれぞれ含む複数の液体案内溝（１０）を含む液体案内部品において、
対向設置された第１側と第２側を含み、各前記入口端（１０１）は液体の入口として前記液体案内部品の前記第１側に設けられ、各前記出口端（１０３）は液体の出口として前記液体案内溝（１０）の前記第２側に設けられ、前記液体案内溝（１０）は前記液体の前記入口端（１０１）から前記出口端（１０３）への伝送に用いられることを特徴とする液体案内部品。
【請求項２】
前記溝壁（１０２）は、少なくとも１区間の下り坂面を含む内面を有し、好ましくは、前記下り坂面が傾斜面であることを特徴とする請求項１に記載の液体案内部品。
【請求項３】
前記内面は、凹み状をなす内面であることを特徴とする請求項２に記載の液体案内部品。
【請求項４】
前記内面は巻取り曲面であり、前記入口端（１０１）と前記出口端（１０３）にそれぞれ入口端開口と出口端開口が形成され、前記内面によって前記入口端開口と前記出口端開口が接続され、前記入口端開口面積は前記出口端開口面積より大きいことを特徴とする請求項２に記載の液体案内部品。
【請求項５】
前記溝壁（１０２）の前記出口端（１０３）に近い内面は少なくとも１区間の縦面をさらに含むことを特徴とする請求項４に記載の液体案内部品。
【請求項６】
各前記液体案内溝（１０）の前記入口端（１０１）は同一平面に位置し、各前記出口端（１０３）は同一平面に位置することを特徴とする請求項１に記載の液体案内部品。
【請求項７】
前記液体案内溝（１０）の配列方向に沿って、隣接する２つの前記液体案内溝（１０）の縁間の最小間隔距離は所定の距離以下であり、前記所定の距離が０〜２μｍであることを特徴とする請求項１に記載の液体案内部品。
【請求項８】
各液体案内溝（１０）は、複数行複数列のアレイ構造で配列され、または一行の構造で配列され、または一列の構造で配列されることを特徴とする請求項１に記載の液体案内部品。
【請求項９】
前記液体案内溝（１０）の配列密度は３０〜３００個／インチであることを特徴とする請求項８に記載の液体案内部品。
【請求項１０】
前記溝壁（１０２）の全部または一部の内面の表面エネルギー≦２０ｄｙｎ／ｃｍ、であることを特徴とする請求項１に記載の液体案内部品。
【請求項１１】
前記溝壁（１０２）の内面は超疎水性表面であることを特徴とする請求項１に記載の液体案内部品。
【請求項１２】
位置合わせマークがさらに設けられていることを特徴とする請求項１に記載の液体案内部品。
【請求項１３】
プリンター（２）とプリント対象の目標基板（３）との間に設けられた請求項１〜１２のいずれか一項に記載の液体案内部品（１）と、複数のノズル（２０）を有する前記プリンター（２）と、前記プリント対象の目標基板（３）とを組み合せてインクジェットプリントに利用し、前記液体案内部品（１）が入口端（１０１）を介して前記ノズル（２０）から吐出されたインクを受け取って、前記インクを出口端（１０３）から前記目標基板（３）へ排出することを特徴とする液体案内部品の使用方法。
【請求項１４】
前記液体案内部品（１）の液体案内溝（１０）は、複数行複数列のアレイ構造で配列され、
前記プリンター（２）、前記液体案内部品（１）、及び複数のサブ画素窪み（３０）を有する前記目標基板（３）を用意することと、
前記液体案内部品（１）を前記目標基板（３）の前記サブ画素窪み（３０）を有する側の上方に設置し、前記液体案内部品（１）によって前記目標基板（３）の第１部分または全部を覆い、各前記出口端（１０３）が前記目標基板（３）の第１目標サブ画素窪み（３０１）に一対一の対応で合わせるように設置することと、
プリントヘッドと前記液体案内部品（１）とを相対的に移動させるとともに、前記液体案内部品（１）と前記目標基板（３）とを相対的に静止させるように制御し、第１インクが各前記液体案内溝（１０）を介して前記第１目標サブ画素窪み（３０１）内に入るように、各前記ノズル（２０）が対応する各前記入口端（１０１）の上方を通過する際に前記第１インクを吐出させることと、を含むことを特徴とする請求項１３に記載の液体案内部品の使用方法。
【請求項１５】
前記液体案内部品（１）によって第１部分の前記目標基板（３）を覆う際、前記第１インクによる前記第１目標サブ画素窪み（３０１）のプリントを完成した後、
前記液体案内部品（１）を前記目標基板（３）の前記サブ画素窪み（３０）を有する側の上方に設置し、前記液体案内部品（１）によって第２部分の前記目標基板（３）を覆い、各前記出口端（１０３）が前記第２部分の前記目標基板（３）の第１目標サブ画素窪み（３０１）に一対一の対応で合わせるように設置し、前記第１インクが前記第１目標サブ画素窪み（３０１）内に入るように移動を制御するステップを繰り返すことをさらに含むことを特徴とする請求項１４に記載の液体案内部品の使用方法。
【請求項１６】
各前記出口端（１０３）が一行の構造で配列され、または一列の構造で配列され、
前記プリンター（２）、前記液体案内部品（１）、及び複数のサブ画素窪み（３０）を有する前記目標基板（３）を用意することと、
各前記入口端（１０１）が各前記ノズル（２０）に一対一の対応で合わせるようにして設置されるように、前記液体案内部品（１）とプリントヘッドとの相対位置を調節することと、
前記プリントヘッドと前記目標基板（３）を相対的に移動させるとともに、前記液体案内部品（１）と前記プリントヘッドとを相対的に静止させるように制御し、第１インクが各液体案内溝（１０）を介して各第１目標サブ画素窪み（３０１）内に入るように、各前記出口端（１０３）が対応する各第１目標サブ画素窪み（３０１）の上方を通過する際に第１インクを吐出することと、を含み、
前記複数のノズル（２０）が一行の構造で配列され、または一列の構造で配列されることを特徴とする請求項１３に記載の液体案内部品の使用方法。
【請求項１７】
前記目標基板（３）は一側の表面に複数の画素ユニット（３１）を有し、各前記画素ユニット（３１）は同行または同列の隣接する複数の前記サブ画素窪み（３０）を含み、前記液体案内部品（１）の各出口端（１０３）の内側縁辺線の前記目標基板（３）での正投影は一つの目標サブ画素窪み内に位置し、前記液体案内部品（１）の各前記入口端（１０１）の外側縁辺線の前記目標基板（３）での正投影は一つの前記画素ユニット（３１）内に位置することを特徴とする請求項１４乃至１６のいずれか１項に記載の液体案内部品の使用方法。
【請求項１８】
複数のノズル（２０）を有し、少なくとも一つのインク溝と前記インク溝の下方に設置される一つのノズルプレートとを含むプリントヘッドと、
前記ノズルプレートの下方に設置された少なくとも一つの液体案内溝（１０）を含む請求項１乃至１２のいずれか１項に記載の液体案内部品とを含み、
各液体案内溝（１０）は、少なくとも一つの入口端（１０１）と、少なくとも一つの出口端（１０３）と、前記入口端（１０１）と前記出口端（１０３）を接続する溝壁（１０２）と、を含み、前記入口端（１０１）は前記ノズル（２０）から吐出されたインクの入口として少なくとも一つの前記ノズル（２０）に対向設置され、前記出口端（１０３）は前記インクの出口として前記入口端（１０１）の下方に設置されたことを特徴とするインクジェットプリント部品。
【請求項１９】
前記液体案内溝（１０）は複数であり、各前記液体案内溝（１０）はそれぞれ独立に一つの前記入口端（１０１）と一つの前記出口端（１０３）を含み、各前記入口端（１０１）と各前記出口端（１０３）は一対一に対応し、各前記ノズル（２０）が各入口端（１０１）に合わせて設置されることを特徴とする請求項１８に記載のインクジェットプリント部品。
【請求項２０】
請求項１８または１９に記載のインクジェットプリント部品を含むことを特徴とするインクジェットプリンター。
【請求項２１】
請求項１３乃至１７のいずれか１項に記載の液体案内部品の使用方法で製造された一つまたは複数の膜層を含むことを特徴とする光電素子。
【手続補正２】
【補正対象書類名】明細書
【補正対象項目名】００５１
【補正方法】変更
【補正の内容】
【００５１】
図１と図２に示すように、溝壁１０２の表面のうち液体に接触する側の表面が内面であり、この内面が下り坂面に属し、傾斜面であり、図１と図２において、溝壁１０２の内面は入口端１０１から入った液体の伝送に用いられることができ、液体はこの傾斜した内面に沿った方向に運動して出口端１０３から流出されて、液体の流れ方向を精確に制御し、液体が出口端１０３から流出された後に、目標領域、例えば目標基板のサブ画素窪み内に正確に入るようにする。上記傾斜面上の各点の接線と基板が位置する平面との夾角（基板が位置する平面から傾斜面の外面までの鋭角）は傾斜角であり、この傾斜角は大きいほど有利で、傾斜角が大きいほど傾斜面が険しく、例えば、出口端１０３での傾斜角が大きいほど対応するサブ画素窪み内への液体の伝送の正確率を向上させることができる。
【手続補正３】
【補正対象書類名】明細書
【補正対象項目名】００５４
【補正方法】変更
【補正の内容】
【００５４】
一つの好適な実施例において、溝壁の内面は錐体の傾斜面を含み、錐体の傾斜面は図３と図４に示す溝壁１０２の上半部分の形状であって、この上半部分の形状は円錐台である。
【手続補正４】
【補正対象書類名】明細書
【補正対象項目名】０１００
【補正方法】変更
【補正の内容】
【０１００】
一の選択可能な実施例において、図７に示すように、目標基板３の一側の表面に複数の画素ユニット３１を有し、各画素ユニット３１は複数の同行または同列の隣接するサブ画素窪み３０を含み、液体案内部品１の各出口端１０３の内側縁辺線の目標基板上の正投影は一つの目標サブ画素窪み３０１内に位置することができ、例えば出口端１０３が図７に示す円形であると、出口端１０３の内部の対応する円形辺の正投影は一つの目標サブ画素窪み３０１の底面内に位置し、または出口端１０３の内径は目標サブ画素窪み３０１の幅より小さいとも言える。